(57)【要約】【課題】  光通信装置内温度調節に任意の波長帯を利用可能な光通信システムを得る。【解決手段】  ホスト装置１において、スレーブ装置３から伝送される光信号のレーザ波長とレーザダイオード５により発生されたレーザ波長とを比較する比較器６と、レーザ波長の温度特性に基づいて、比較器６により検出された波長差に応じて、スレーブ装置３の温度を演算する波長／温度変換部７と、スレーブ装置３の設定温度と波長／温度変換部７により演算されたスレーブ装置３の温度との比較に応じて温度制御情報を演算し、光伝送路２を通じてスレーブ装置３に温度制御情報を伝送する温度設定部８とを備え、スレーブ装置３において、ホスト装置１から伝送される温度制御情報に基づいて、スレーブ装置内温度を調節する温度上昇／下降部１０を備えた。スレーブ装置３の温度演算にレーザ波長の波長差を利用しているため、任意の波長帯を利用することができる。【選択図】        図１
2006005654.tif 000002
【特許請求の範囲】
【請求項１】
当該光通信装置内で発生される光信号のレーザ波長と光伝送路を通じて他の光通信装置から伝送される光信号のレーザ波長との波長差に基づいて、上記光伝送路を通じて上記他の光通信装置内温度を制御する光通信装置。
【請求項２】
基準となるレーザ波長のレーザ光を発生する基準波長発生手段と、
光伝送路を通じて他の光通信装置から伝送される光信号のレーザ波長と上記基準波長発生手段により発生されたレーザ波長とを比較し、それらの波長差を検出する波長比較手段と、
予め設定されたレーザ波長の温度特性に基づいて、上記波長比較手段により検出された波長差に応じて、上記他の光通信装置の温度を演算する波長温度変換手段と、
予め設定された上記他の光通信装置の設定温度と上記波長温度変換手段により演算された上記他の光通信装置の温度との比較に応じて温度制御情報を演算し、上記光伝送路を通じて上記他の光通信装置に温度制御情報を伝送する温度制御手段とを備えたことを特徴とする請求項１記載の光通信装置。
【請求項３】
基準となるレーザ波長のレーザ光を発生する基準波長発生手段と、
上記光伝送路を通じて他の光通信装置から伝送される光信号のレーザ波長と上記基準波長発生手段により発生されたレーザ波長とを比較し、それらの波長差を検出し、その光伝送路を通じて上記他の光通信装置に検出した波長差を伝送する波長比較手段とを備えたことを特徴とする請求項１記載の光通信装置。
【請求項４】
周囲温度に応じたレーザ波長のレーザ光を発生し、光伝送路を通じて他の光通信装置にそのレーザ光を伝送する基準波長発生手段と、
上記光伝送路を通じて上記他の光通信装置から伝送される光信号のレーザ波長と上記基準波長発生手段により発生されたレーザ波長とを比較し、それらの波長差を検出する波長比較手段と、
上記波長比較手段により検出される波長差が小さくなるように当該光通信装置内温度を調節する第１の温度調節手段とを備えたことを特徴とする請求項１記載の光通信装置。
【請求項５】
請求項２記載の光通信装置をホスト装置とし、請求項２記載の他の光通信装置をスレーブ装置として、そのホスト装置に光伝送路を介してそのスレーブ装置が接続され、
上記スレーブ装置は、
上記光伝送路を通じて上記ホスト装置から伝送される温度制御情報に基づいて動作し、当該スレーブ装置内温度を調節する温度調節手段を備えたことを特徴とする光通信システム。
【請求項６】
請求項３記載の光通信装置をホスト装置とし、請求項３記載の他の光通信装置をスレーブ装置として、そのホスト装置に光伝送路を介してそのスレーブ装置が接続され、
上記スレーブ装置は、
上記光伝送路を通じて上記ホスト装置から伝送される波長差に基づいて動作し、当該スレーブ装置内温度を調節する温度調節手段を備えたことを特徴とする光通信システム。
【請求項７】
請求項４記載の光通信装置をホスト装置とし、請求項４記載の他の光通信装置をスレーブ装置として、そのホスト装置に光伝送路を介してそのスレーブ装置が接続され、
上記スレーブ装置は、
上記光伝送路を通じて上記ホスト装置から伝送されるレーザ波長に基づいて動作し、当該スレーブ装置内温度を調節する第２の温度調節手段を備えたことを特徴とする光通信システム。
【発明の詳細な説明】
【技術分野】
【０００１】
この発明は、複数の光通信装置が光伝送路により接続され、１つの光通信装置により複数の光通信装置の内部温度を制御する光通信装置および光通信システムに関するものである。
【背景技術】
【０００２】
従来の光通信システムとしては、波長分散補償機能を利用し、光ファイバの水酸基の光吸収率に着目し、この光吸収率の物性的な特性を利用することにより、ファンユニット等の温度調整手段を用いて光通信装置内温度を調節するものがある（例えば、特許文献１参照）。
【０００３】
【特許文献１】特開平１０−６８８３４号公報
【発明の開示】
【発明が解決しようとする課題】
【０００４】
従来の光通信システムは以上のように構成されているので、光ファイバの水酸基の光吸収率の特性により制御するため、ファイバ特性に合った波長のみにしか適応することができない。また、分散特性の違う光ファイバが組み合わさった場合も使用できないため、使用できる波長帯が制限されてしまうなどの課題があった。
【０００５】
この発明は上記のような課題を解決するためになされたもので、光通信装置内温度調節に任意の波長帯を利用可能な光通信装置および光通信システムを得ることを目的とする。
【課題を解決するための手段】
【０００６】
この発明に係る光通信装置は、当該光通信装置内で発生される光信号のレーザ波長と光伝送路を通じて他の光通信装置から伝送される光信号のレーザ波長との波長差に基づいて、光伝送路を通じて他の光通信装置内温度を制御するものである。
【発明の効果】
【０００７】
この発明によれば、当該光通信装置内で発生される光信号のレーザ波長と光伝送路を通じて他の光通信装置から伝送される光信号のレーザ波長との波長差に応じて、他の光通信装置の温度を制御するようにしたので、他の光通信装置の温度制御にレーザ波長の波長差を利用しているため、光伝送路である光ファイバの特性に左右されることなく、使える波長には制約はなく、任意の波長帯を利用することができる効果がある。
【発明を実施するための最良の形態】
【０００８】
実施の形態１．
図１はこの発明の実施の形態１による光通信システムを示す構成図であり、図において、ホスト装置１には、各々光ファイバによる光伝送路２を介してスレーブ装置（＃１〜＃ｎ）３が接続されている。
【０００９】
ホスト装置１において、ホスト装置Ｉ／Ｆ部（＃１〜＃ｎ）４は、スレーブ装置（＃１〜＃ｎ）３に対応してそれぞれ設けられ、光伝送路２を通じてスレーブ装置（＃１〜＃ｎ）３に温度制御情報を伝送したり、スレーブ装置（＃１〜＃ｎ）３から光伝送路２を通じて波長情報である光信号が伝送されるものである。ホスト装置Ｉ／Ｆ部４において、レーザダイオード（基準波長発生手段）５は、基準となるレーザ波長のレーザ光を発生するものである。比較器（波長比較手段）６は、対応するスレーブ装置３から伝送される光信号のレーザ波長とレーザダイオード５により発生されたレーザ光のレーザ波長とを比較し、それらの波長差（正負の符号も含む）をヘテロダイン検波等により検出するものである。
波長／温度変換部（波長温度変換手段）７は、予め設定されたレーザ波長の温度特性に基づいて、比較器６により検出された波長差に応じて、スレーブ装置３の温度を演算するものである。温度設定部（温度制御手段）８は、ホスト装置１外部のオペレーション装置内、またはホスト装置１内に設けられ、オペレータによって設定されるか、または予め設定されたスレーブ装置（＃１〜＃ｎ）３の設定温度と、波長／温度変換部７により演算されたスレーブ装置（＃１〜＃ｎ）３の温度との比較に応じて温度制御情報を演算し、ホスト装置Ｉ／Ｆ部（＃１〜＃ｎ）４および光伝送路２を通じてスレーブ装置（＃１〜＃ｎ）３に温度制御情報を伝送するものである。
【００１０】
スレーブ装置３において、Ｉ／Ｆ部９は、光伝送路２を通じてホスト装置１に光信号を伝送したり、ホスト装置１から光伝送路２を通じて温度制御情報が伝送されるものである。温度上昇／下降部（温度調節手段）１０は、例えば、ファンユニット等により構成され、ホスト装置１から伝送される温度制御情報に基づいて動作し、スレーブ装置３内温度を調節するものである。
【００１１】
次に動作について説明する。
この実施の形態１による光通信システムは、複数の光通信装置（ホスト装置１およびスレーブ装置（＃１〜＃ｎ）３）が光伝送路２により接続されたものであり、各々のホスト装置１およびスレーブ装置（＃１〜＃ｎ）３には、レーザ光を発生するレーザダイオードが設けられている。レーザダイオードは、発熱源であり、レーザダイオードの周囲温度は、７０℃程度まで上昇する。この温度上昇により、レーザダイオードから発生されるレーザ光のレーザ波長が変動したり、光ファイバによる光伝送損失の変動が発生し、光信号の品質に悪影響を与えてしまうことが予想される。したがって、その課題を回避するために、この実施の形態１では、１つのホスト装置１によりスレーブ装置（＃１〜＃ｎ）３の内部温度を制御する。
【００１２】
ホスト装置Ｉ／Ｆ部（＃１〜＃ｎ）４には、基準となるレーザ波長のレーザ光を発生するレーザダイオード５がそれぞれ設けられている。比較器６は、対応するスレーブ装置３から伝送される光信号のレーザ波長とレーザダイオード５により発生されたレーザ光のレーザ波長とを比較し、それらの波長差（正負の符号も含む）を検出する。なお、スレーブ装置（＃１〜＃ｎ）３の内部温度制御は、特に速いスピードの制御を必要としないので、スレーブ数だけ順番に比較していき、その結果を１つ１つ波長／温度変換部７に送っていく。
【００１３】
温度設定部８では、基準となるレーザ波長を発生するレーザダイオード５のレーザ波長の温度特性が設定されている。これは、この温度設定部８がオペレーション装置内に設けられている場合には、オペレータによる操作によって設定されるものである。
図２はレーザ波長の温度特性の一例を示す特性図であり、図において、λ０はレーザダイオード５の基準となるレーザ波長、ｔ０はそのレーザ波長λ０を発生した時の周囲温度、λ０＋Δλ、λ０＋２Δλは、レーザ波長λ０よりもΔλおよび２Δλ長いレーザ波長、ｔ０＋Δｔ０、ｔ０＋２Δｔ０はそれらレーザ波長λ０＋Δλ、λ０＋２Δλ０を発生した時の周囲温度、λ０−Δλ、λ０−２Δλは、レーザ波長λ０よりもΔλおよび２Δλ短いレーザ波長、ｔ０−Δｔ０、ｔ０−２Δｔ０はそれらレーザ波長λ０−Δλ、λ０−２Δλ０を発生した時の周囲温度である。なお、温度設定部８では、このようなレーザ波長の温度特性に基づいた特性テーブルを設定しても良い。
【００１４】
波長／温度変換部７は、温度設定部８で設定されたレーザ波長の温度特性を入手し、そのレーザ波長の温度特性に基づいて、比較器６により検出された波長差に応じて、スレーブ装置３の温度を演算する。例えば、比較器６により検出された波長差が＋２Δλであるならば、スレーブ装置３から伝送されたレーザ波長がλ０＋２Δλであったと判断して、スレーブ装置３の温度を、ｔ０＋２Δｔ０であると演算する。
なお、レーザダイオード５から発生される基準となるレーザ波長は、周囲温度によって変化することから、サーミスタ等によりそのレーザダイオード周囲温度を検出する温度検出部を設け、レーザ波長の温度特性に基づいて、温度検出部により検出されたレーザダイオードの周囲温度および比較器６により検出された波長差に応じて、スレーブ装置３の温度を演算するようにしても良い。この場合は、レーザダイオード５の周囲温度の変化に応じた基準となるレーザ波長の変化に対応することができ、より精度の高い温度制御を行うことができる。
【００１５】
温度設定部８は、予め設定されたスレーブ装置（＃１〜＃ｎ）３の設定温度と、波長／温度変換部７により演算されたスレーブ装置（＃１〜＃ｎ）３の温度との比較に応じて温度制御情報を演算し、ホスト装置Ｉ／Ｆ部（＃１〜＃ｎ）４および光伝送路２を通じてスレーブ装置（＃１〜＃ｎ）３に温度制御情報を伝送する。例えば、両者の温度を比較し、設定温度よりも演算温度の方が高い時のみスレーブ装置のファンユニットを動作させる温度制御情報を伝送する。この場合、１ビットの温度制御情報で済ませることができる。また、この温度設定部８では、各々のスレーブ装置（＃１〜＃ｎ）３毎に、個別に任意の温度設定が可能となる。したがって、スレーブ装置の置かれている環境および条件等により柔軟に対応することができる。
【００１６】
スレーブ装置（＃１〜＃ｎ）３では、Ｉ／Ｆ部９により、ホスト装置１から光伝送路２を通じた温度制御情報を受信し、温度上昇／下降部１０は、ホスト装置１から伝送される温度制御情報に基づいて、例えば、ファンユニット等を動作し、スレーブ装置（＃１〜＃ｎ）３内温度を調節する。これは、結果的に、温度設定部８に設定されたスレーブ装置（＃１〜＃ｎ）３の設定温度になるように温度調節されることになる。また、温度上昇／下降部１０を、冷却時のみ運転するファンユニットにより構成したので、システム全体を省エネルギー化することができる。
【００１７】
以上のように、この実施の形態１によれば、波長／温度変換部７により、レーザ波長の温度特性に基づいて、スレーブ装置（＃１〜＃ｎ）３からの光信号のレーザ波長とレーザダイオード５により発生されたレーザ波長との波長差に応じて、スレーブ装置（＃１〜＃ｎ）３の温度を演算するようにしたので、スレーブ装置（＃１〜＃ｎ）３の温度演算にレーザ波長の波長差を利用しているため、光伝送路２である光ファイバの特性に左右されることなく、使える波長には制約はなく、任意の波長帯を利用することができる。
また、ホスト装置１に、スレーブ装置（＃１〜＃ｎ）３の温度を演算する波長／温度変換部７と、その温度に応じてスレーブ装置（＃１〜＃ｎ）３に温度制御情報を伝送する温度設定部８とを備えたので、ホスト装置１側からスレーブ装置（＃１〜＃ｎ）３の任意の温度設定が簡単にでき、スレーブ装置（＃１〜＃ｎ）３の増設を容易にし、光通信システムの規模の大型化への対応を容易にすることができる
なお、スレーブ装置（＃１〜＃ｎ）３のレーザ波長は、各々のレーザダイオードによりばらつきがあるが、そのばらつきはある基準の温度に対するレーザ波長のみを予め調べておき、そのレーザ波長をホスト装置１側に送ってやることにより、ばらつき補正をすることは可能である。
【００１８】
実施の形態２．
図３はこの発明の実施の形態２による光通信システムを示す構成図であり、図において、ホスト装置Ｉ／Ｆ部（＃１〜＃ｎ）４は、スレーブ装置（＃１〜＃ｎ）３に対応してそれぞれ設けられ、光伝送路２を通じてスレーブ装置（＃１〜＃ｎ）３に温度制御情報である波長差信号を伝送したり、スレーブ装置（＃１〜＃ｎ）３から光伝送路２を通じて光信号が伝送されるものである。ホスト装置Ｉ／Ｆ部４において、比較器（波長比較手段）１１は、対応するスレーブ装置３から伝送される光信号のレーザ波長とレーザダイオード５により発生されたレーザ光のレーザ波長とを比較し、それらの波長差（正負の符号も含む）をヘテロダイン検波等により検出し、波長差信号としてホスト装置Ｉ／Ｆ部（＃１〜＃ｎ）４および光伝送路２を通じてスレーブ装置（＃１〜＃ｎ）３に伝送するものである。
スレーブ装置３において、温度上昇／下降部（温度調節手段）１２は、例えば、ファンユニット等により構成され、ホスト装置１から伝送される波長差信号に基づいて動作し、スレーブ装置３内温度を調節するものである。その他の構成については、波長／温度変換部７および温度設定部８を設けられていない以外は、図１と同等の構成である。
【００１９】
次に動作について説明する。
この実施の形態２による光通信システムは、上記実施の形態１に示した構成から波長／温度変換部７および温度設定部８を取り除き、簡略化したものである。
ホスト装置Ｉ／Ｆ部（＃１〜＃ｎ）４では、比較器１１において、対応するスレーブ装置３から伝送される光信号のレーザ波長とレーザダイオード５により発生されたレーザ光のレーザ波長とを比較し、それらの波長差（正負の符号も含む）を検出し、ホスト装置Ｉ／Ｆ部（＃１〜＃ｎ）４および光伝送路２を通じてスレーブ装置（＃１〜＃ｎ）３に波長差信号を伝送する。
スレーブ装置（＃１〜＃ｎ）３では、Ｉ／Ｆ部９により、ホスト装置１から光伝送路２を通じた波長差信号を受信し、温度上昇／下降部１２は、ホスト装置１から伝送される波長差信号に基づいて、例えば、ファンユニット等を動作し、スレーブ装置（＃１〜＃ｎ）３内温度を調節する。これは、図２に示したレーザ波長の温度特性でも分かる通り、波長差を制御することは、温度差を制御することと同意であるので、基準波長となるレーザ波長よりもスレーブ装置３の光信号のレーザ波長の方が長い場合のみファンユニット等を動作すれば、スレーブ装置３内温度を調節することができる。
【００２０】
以上のように、この実施の形態２によれば、比較器１１により、スレーブ装置（＃１〜＃ｎ）３から伝送される光信号のレーザ波長とレーザダイオード５により発生されたレーザ波長と波長差を検出し、スレーブ装置（＃１〜＃ｎ）３にその検出した波長差信号を伝送し、スレーブ装置（＃１〜＃ｎ）３の温度上昇／下降部１２により、ホスト装置１から伝送される波長差信号に基づいてスレーブ装置（＃１〜＃ｎ）３内温度を調節するようにしたので、スレーブ装置（＃１〜＃ｎ）３の温度制御にレーザ波長の波長差を利用しているため、光伝送路２である光ファイバの特性に左右されることなく、使える波長には制約はなく、任意の波長体を利用することができる。
また、ホスト装置１に、スレーブ装置（＃１〜＃ｎ）３に検出した波長差信号を伝送する比較器１１を備えたので、ホスト装置１側からスレーブ装置（＃１〜＃ｎ）３の温度設定が簡単にでき、スレーブ装置３の増設を容易にし、光通信システムの規模の大型化への対応を容易にすることができる。
さらに、この場合、ホスト装置１およびスレーブ装置（＃１〜＃ｎ）３とも直接に温度を知ることはできないが、ホスト装置１内温度を基準として、スレーブ装置（＃１〜＃ｎ）３の光信号のレーザ波長を制御し、スレーブ装置（＃１〜＃ｎ）３内温度を調節することができ、ホスト装置１に、波長／温度変換部７および温度設定部８を設けることなく、ホスト装置１の構成を簡素化することができる。
【００２１】
実施の形態３．
図４はこの発明の実施の形態３による光通信システムを示す構成図であり、図において、  ホスト装置Ｉ／Ｆ部（＃１〜＃ｎ）４は、スレーブ装置（＃１〜＃ｎ）３に対応してそれぞれ設けられ、光伝送路２を通じてスレーブ装置（＃１〜＃ｎ）３にレーザ光を伝送したり、スレーブ装置（＃１〜＃ｎ）３から光伝送路２を通じて光信号が伝送されるものである。ホスト装置Ｉ／Ｆ部４において、レーザダイオード（基準波長発生手段）１３は、周囲温度に応じたレーザ波長のレーザ光を発生し、ホスト装置Ｉ／Ｆ部（＃１〜＃ｎ）４および光伝送路２を通じてスレーブ装置（＃１〜＃ｎ）３にレーザ光を伝送するものである。演算部（第１の温度調節手段）１４は、比較器６により検出された波長差が小さくなるような操作信号を演算し、温度上昇／下降部（第１の温度調節手段）１５は、演算部１４から伝送される操作信号に基づいて動作し、ホスト装置１内温度を調節するものである。
スレーブ装置３において、温度上昇／下降部（第２の温度調節手段）１６は、ホスト装置１から伝送されるレーザ光のレーザ波長に基づいて動作し、スレーブ装置３内温度を調節するものである。その他の構成については、波長／温度変換部７および温度設定部８を設けられていない以外は、図１と同等の構成である。
【００２２】
次に動作について説明する。
この実施の形態３による光通信システムは、上記実施の形態１に示したホスト装置とスレーブ装置の関係を入れ替えたものであり、この場合、複数のスレーブ装置（＃１〜＃ｎ）３は、温度環境がある程度保たれている場合に使うことが可能となる。
ホスト装置Ｉ／Ｆ部（＃１〜＃ｎ）４では、比較器６において、対応するスレーブ装置３から伝送される光信号のレーザ波長とレーザダイオード１３により発生されたレーザ光のレーザ波長とを比較し、それらの波長差（正負の符号も含む）を検出する。演算部１４は、比較器６により検出された波長差が小さくなるような操作信号を演算し、温度上昇／下降部１５は、演算部１４から伝送される操作信号に基づいて動作し、ホスト装置１内温度を調節するものである。
例えば、図２に示したレーザ波長の温度特性でも分かる通り、レーザ波長と温度とは、ほぼ比例の関係にあることから、比較器６において、基準波長となるレーザ波長よりもスレーブ装置３の光信号のレーザ波長の方が長い場合に、演算部１４および温度上昇／下降部１５により、ホスト装置１内温度を上昇させ、基準波長となるレーザ波長を長くさせて波長差が小さくなるようにする。また、比較器６において、基準波長となるレーザ波長よりもスレーブ装置３の光信号のレーザ波長の方が短い場合に、演算部１４および温度上昇／下降部１５により、ホスト装置１内温度を下降させ、基準波長となるレーザ波長を短くさせて波長差が小さくなるようにする。
レーザダイオード１３は、この周囲温度に応じてレーザ波長が変化したレーザ光をホスト装置Ｉ／Ｆ部（＃１〜＃ｎ）４および光伝送路２を通じてスレーブ装置（＃１〜＃ｎ）３に伝送する。
【００２３】
スレーブ装置（＃１〜＃ｎ）３では、Ｉ／Ｆ部９により、ホスト装置１から光伝送路２を通じたレーザ光を受信し、温度上昇／下降部１６は、ホスト装置１から伝送されるレーザ光のレーザ波長に基づいて、スレーブ装置（＃１〜＃ｎ）３内温度を調節する。
例えば、温度上昇／下降部１６に入力されるレーザ波長が長くなった場合に、スレーブ装置３内温度を下降させ、このスレーブ装置３からホスト装置１に伝送する光信号のレーザ波長が短くなるようにする。また、温度上昇／下降部１６に入力されるレーザ波長が短くなった場合に、スレーブ装置３内温度を上昇させ、このスレーブ装置３からホスト装置１に伝送する光信号のレーザ波長が長くなるようにする。
このように、レーザ波長の変化を、温度制御信号として再びホスト装置１にフィードバックし、以上説明した動作を繰り返し実行することにより、ホスト装置１とスレーブ装置（＃１〜＃ｎ）３との内部温度を同じ状態に保っていくことが可能となる。
【００２４】
以上のように、この実施の形態３によれば、ホスト装置１およびスレーブ装置（＃１〜＃ｎ）３の温度制御にレーザ波長の波長差を利用しているため、光伝送路２である光ファイバの特性に左右されることなく、使える波長には制約はなく、任意の波長体を利用することができる。
また、ホスト装置１に、スレーブ装置（＃１〜＃ｎ）３の増設を容易にし、光通信システムの規模の大型化への対応を容易にすることができる。
さらに、この場合、温度制御動作を何度も繰り返すことにより、ホスト装置１内温度とスレーブ装置（＃１〜＃ｎ）３内温度とを一致させることができ、ホスト装置１に、波長／温度変換部７および温度設定部８を設けることなく、ホスト装置１の構成を簡素化することができる。
【図面の簡単な説明】
【００２５】
【図１】この発明の実施の形態１による光通信システムを示す構成図である。
【図２】レーザ波長の温度特性の一例を示す特性図である。
【図３】この発明の実施の形態２による光通信システムを示す構成図である。
【図４】この発明の実施の形態３による光通信システムを示す構成図である。
【符号の説明】
【００２６】
１  ホスト装置、２  光伝送路、３  スレーブ装置（＃１〜＃ｎ）、４  ホスト装置Ｉ／Ｆ部（＃１〜＃ｎ）、５，１３  レーザダイオード（基準波長発生手段）、６，１１  比較器（波長比較手段）、７  波長／温度変換部（波長温度変換手段）、８  温度設定部（温度制御手段）、９  Ｉ／Ｆ部、１０，１２  温度上昇／下降部（温度調節手段）、１４  演算部（第１の温度調節手段）、１５  温度上昇／下降部（第１の温度調節手段）、１６  温度上昇／下降部（第２の温度調節手段）。
【図１】
2006005654.tif 000003
【図２】
2006005654.tif 000004
【図３】
2006005654.tif 000005
【図４】
2006005654.tif 000006